(57)【要約】【課題】複数のヘッドを収納でき、ヘッドが外部から容易に識別でき、ヘッドが循環に交換可能である。【解決手段】収容チューブの一端がグリップ部材に軸方向に挿入し組合い、且つ前記グリップ部材の一端にはプラグが設置してあり、前記プラグが収容チューブの端部に当接し、なお、前記収容チューブの他端の開口内には制限スリーブが設けてあり、前記収容チューブの通路には複数のヘッドが収容されるヘッド循環交換可能なドライバーにおいて、カバー用チューブは、収容チューブをカバーし、その一端には前記グリップ部材の開口に対応する連接部が形成してあり、前記カバー用チューブおよび収容チューブは透明または半透明なものであり、前記カバー用チューブと収容チューブの組合によりヘッドの映像が拡大されることを特徴とするヘッド循環交換可能なドライバー。【選択図】図１
0003110269.tif 000002
【実用新案登録請求の範囲】
【請求項１】
収容チューブの一端がグリップ部材に軸方向に挿入し組合い、且つ前記グリップ部材の一端にはプラグが設置してあり、前記プラグが収容チューブの端部に当接し、なお、前記収容チューブの他端の開口内には制限スリーブが設けてあり、前記収容チューブの通路には複数のヘッドが収容されるヘッド循環交換可能なドライバーにおいて、
カバー用チューブは、収容チューブをカバーし、その一端には前記グリップ部材の開口に対応する連接部が形成してあり、前記カバー用チューブおよび収容チューブは透明または半透明なものであり、前記カバー用チューブと収容チューブの組合によりヘッドの映像が拡大されることを特徴とする、
ヘッド循環交換可能なドライバー。
【請求項２】
前記カバー用チューブと収容チューブの顔色は、同様であってもいいし、異なってもいいことを特徴とする、請求項１に記載のヘッド循環交換可能なドライバー。
【請求項３】
前記制限スリーブは磁石であってもいいことを特徴とする、請求項１に記載のヘッド循環交換可能なドライバー。
【考案の詳細な説明】
【技術分野】
【０００１】
本考案はヘッド循環交換可能なドライバーに係り、特に複数のヘッドを収納でき、ヘッドが外部から容易に識別でき、ヘッドが循環に交換可能であるヘッド循環交換可能なドライバーに関するものである。
【背景技術】
【０００２】
従来のドライバーは、その一端にはグリップ部材が設けてあり、その他端にはヘッドが設けてあり、使用するときに、使用者は、ネジのタイプおよび寸法を判断して適当なドライバを取り出して、ヘッドをネジの端部に当接して回転させると、ネジを締める又は緩めることができる。
【考案の開示】
【考案が解決しようとする課題】
【０００３】
しかしながら、これは次のような欠点があった。
（イ）従来のドライバーのヘッドが一つだけあり、遠い箇所に位置するワークにあるネジのタイプおよび寸法の判断ができないので、使用者はタイプおよび寸法が異なる複数のドライバーを携帯しないと、適用なドライバーがない可能性が高いので、使用が極めて不便であった。
【０００４】
（ロ）タイプおよび寸法が異なるネジに応じて、使用者はタイプおよび寸法が異なるドライバーを購入することが必要になり、お金が無駄になった。
【課題を解決するための手段】
【０００５】
従来の欠点を解決するためになされた本願の考案は、収容チューブの一端がグリップ部材に軸方向に挿入し組合い、且つ前記グリップ部材の一端にはプラグが設置してあり、前記プラグが収容チューブの端部に当接し、なお、前記収容チューブの他端の開口内には制限スリーブが設けてあり、前記収容チューブの通路には複数のヘッドが収容されるヘッド循環交換可能なドライバーにおいて、カバー用チューブは、収容チューブをカバーし、その一端には前記グリップ部材の開口に対応する連接部が形成してあり、前記カバー用チューブおよび収容チューブは透明または半透明なものであり、前記カバー用チューブと収容チューブの組合によりヘッドの映像が拡大されることを特徴とするヘッド循環交換可能なドライバーであることを要旨としている。
【０００６】
本願の考案では、前記カバー用チューブと収容チューブの顔色は、同様であってもいいし、異なってもいいことを特徴とする請求項１に記載のヘッド循環交換可能なドライバーであることを要旨としている。
【０００７】
本願の考案では、前記制限スリーブは磁石であってもいいことを特徴とする請求項１に記載のヘッド循環交換可能なドライバーであることを要旨としている。
【考案の効果】
【０００８】
本考案に係るヘッド循環交換可能なドライバーによれば、複数のヘッドを収納でき、ヘッドが外部から容易に識別でき、ヘッドが循環に交換可能になる。
【考案を実施するための最良の形態】
【０００９】
以下、添付図面を参照して本考案の好適な実施の形態を詳細に説明する。
【００１０】
まず、図１乃至図４を参照する。本考案に係るヘッド循環交換可能なドライバーは、収容チューブ１０の一端がグリップ部材１３に軸方向に挿入し組合い、且つ前記グリップ部材１３の一端にはプラグ１４が設置してあり、前記プラグ１４が収容チューブ１０の端部に当接し、なお、前記収容チューブ１０の他端の開口内には制限スリーブ１１が設けてあり、前記制限スリーブ１１は磁石であってもよく、なお、前記収容チューブ１０の通路１０１には複数のヘッド２０が収容される。
【００１１】
カバー用チューブ１２は、前記収容チューブ１０をカバーし、その一端には前記グリップ部材１３の開口に対応する連接部１２１が形成してあり、前記カバー用チューブ１２および収容チューブ１０は透明または半透明なものであり、前記カバー用チューブ１２と収容チューブ１０の組合によりヘッド２０の映像が拡大され、これにより、収容チューブ１０内に収納されたヘッド２０が容易に外部から識別でき、且つ前記カバー用チューブ１２と収容チューブ１０の顔色は、同様であってもいいし、異なってもいい。
【００１２】
本考案を使用するときに、収容チューブ１０の内部にはタイプおよび寸法が異なる多数のヘッド２０が収納してあり、なお、ヘッド２０は従来のドライバーにあるヘッドと同様であり、ヘッド２０のうちの一つが収容チューブ１０の外部に露出し、使用者は使用しようとするヘッド２０を判断した後、前記カバー用チューブ１２と収容チューブ１０の組合によって拡大されたヘッド２０の映像により、ヘッド２０のタイプおよび寸法が容易に識別できるので、適用なヘッド２０を快速に取出すことが可能になり、また、使用しようとするヘッド２０がまだ露出しないときには、露出したヘッド２０を取出してプラグ１４をグリップ部材１３から取出して、図３に示すように、取出したばかりのヘッド２０を収容チューブ１０の他端に挿入し他のヘッド２０を前進させて次のヘッド２０が露出し、このような操作は使用しようとするヘッド２０が露出するまでに重複し、使用しようとするヘッド２０が露出したときに、プラグ１４をグリップ部材１３にカバーし、これにより、使用者は収容チューブ１０の内部に収納された各種類のヘッド２０を使用でき、ドライバーの携帯が便利になり、且つ透明または半透明な前記カバー用チューブ１２と収容チューブ１０の顔色は、同様であってもいいし、異なってもいいので、本考案に係るヘッド循環交換可能なドライバーは、外観が従来のものよりも綺麗になり、市場競争力も向上になる。
【図面の簡単な説明】
【００１３】
【図１】本考案の組合状態の斜視図である。
【図２】本考案の分解斜視図である。
【図３】本考案の使用状態を示す概略図である。
【図４】図３におけるＡ-Ａ線の断面図である。
【符号の説明】
【００１４】
１０      収容チューブ              １０１    通路
１１      制限スリーブ              １２      カバー用チューブ
１２１    連接部                    １３      グリップ部材
１４      プラグ                    ２０      ヘッド
【図１】
0003110269.tif 000003
【図２】
0003110269.tif 000004
【図３】
0003110269.tif 000005
【図４】
0003110269.tif 000006